(57)【要約】      （修正有）【課題】ビニールハウスの建造コストを低減すると共に、十分な強度を得ることができる両屋根式ビニールハウスを提供する。【解決手段】両屋根式ビニールハウス（内部ハウス１０）は、複数の支柱パイプ１と、左右一対の軒桁パイプ２ａと、棟パイプ４と、複数の垂木パイプ６と、棟パイプ４を基準として左右一対の垂木パイプ６の一端同士を連結する第１の連結パイプと、支柱パイプ１の上端に垂木パイプ６の他端を連結する第２の連結パイプと、を備え、棟パイプ４及び垂木パイプ６が、樹脂製の直管パイプであり、第１の連結パイプ及び第２の連結パイプが、金属製の曲管パイプである。【選択図】図１
0003189086.tif 000002
【実用新案登録請求の範囲】
【請求項１】
地面に立設され、ビニールハウスの妻面及び側面の骨組みの一部を構成する複数の支柱パイプと、
前記ビニールハウスの桁行方向に列設する前記複数の支柱パイプの上端間に架設される左右一対の軒桁パイプと、
樹脂製の直管パイプからなり、前記ビニールハウスの屋根の最上部で桁行方向に配設され、当該ビニールハウスの屋根の骨組みの一部を構成する棟パイプと、
樹脂製の直管パイプからなり、前記棟パイプ及び軒桁パイプ間で当該棟パイプに略垂直に架設され、前記ビニールハウスの屋根の骨組みの一部を構成する複数の垂木パイプと、
金属製の曲管パイプからなり、前記棟パイプを基準として左右一対の前記垂木パイプの一端同士を連結する第１の連結パイプと、
金属製の曲管パイプからなり、前記支柱パイプの上端に前記垂木パイプの他端を連結する第２の連結パイプと、
前記支柱パイプ及び第２の連結パイプ間に介在される中間パイプと、
を備え、
前記第２の連結パイプの外径が、前記垂木パイプ及び中間パイプの内径と略同一であり、
前記中間パイプの外径が、前記支柱パイプの内径と略同一であることを特徴とする両屋根式ビニールハウス。
【請求項２】
請求項１に記載の両屋根式ビニールハウスにおいて、
前記支柱パイプが、金属製の単管パイプであり、
前記対向する支柱パイプ間における前記ビニールハウス内の栽培地から離隔した高さに道板を架設することを特徴とする両屋根式ビニールハウス。
【請求項３】
請求項１又は２に記載の両屋根式ビニールハウスと、
前記両屋根式ビニールハウスを包囲して配設され、妻方向の一方に傾斜した屋根を有する片屋根式ビニールハウスと、
を備えることを特徴とする温室。
【考案の詳細な説明】
【技術分野】
【０００１】
本考案は、両屋根式ビニールハウス及び温室に関し、特に、屋根材に廃材を用いた両屋根式ビニールハウスに関する。
【背景技術】
【０００２】
従来のビニールハウスは、アーチ状に湾曲したアーチ材を所定間隔で複数立設した骨組み部と、各アーチ材の頂部位置において各アーチ材を支持するように各アーチ材に交差して配設された桁部材と、桁部材の長手方向に沿って所定間隔に複数配設され、各アーチ材と桁部材を支持する支柱と、骨組み部の外表面を被覆する被覆体と、を有し、各アーチ材として竹材が用いられている（例えば、特許文献１参照）。
【先行技術文献】
【特許文献】
【０００３】
【特許文献１】特開２０１３−１５８３０６号公報
【考案の概要】
【考案が解決しようとする課題】
【０００４】
従来のビニールハウスは、廃棄処分に困っていた竹材をビニールハウスの構成材料として採用することにより、ビニールハウスの建造コストを低減することができるのであるが、各アーチ材として竹材が用いられているため、十分な強度が得られないという課題がある。
【０００５】
この考案は、上述のような課題を解決するためになされたもので、ビニールハウスの建造コストを低減すると共に、十分な強度を得ることができる両屋根式ビニールハウスを提供することを目的とする。
【課題を解決するための手段】
【０００６】
この考案に係る両屋根式ビニールハウスにおいては、地面に立設され、ビニールハウスの妻面及び側面の骨組みの一部を構成する複数の支柱パイプと、ビニールハウスの桁行方向に列設する複数の支柱パイプの上端間に架設される左右一対の軒桁パイプと、樹脂製の直管パイプからなり、ビニールハウスの屋根の最上部で桁行方向に配設され、当該ビニールハウスの屋根の骨組みの一部を構成する棟パイプと、樹脂製の直管パイプからなり、棟パイプ及び軒桁パイプ間で当該棟パイプに略垂直に架設され、ビニールハウスの屋根の骨組みの一部を構成する複数の垂木パイプと、金属製の曲管パイプからなり、棟パイプを基準として左右一対の垂木パイプの一端同士を連結する第１の連結パイプと、金属製の曲管パイプからなり、支柱パイプの上端に垂木パイプの他端を連結する第２の連結パイプと、支柱パイプ及び第２の連結パイプ間に介在される中間パイプと、を備え、第２の連結パイプの外径が、垂木パイプ及び中間パイプの内径と略同一であり、中間パイプの外径が、支柱パイプの内径と略同一である。
【考案の効果】
【０００７】
この考案に係る両屋根式ビニールハウスにおいては、ビニールハウスの建造コストを低減すると共に、十分な強度を得ることができる。
【図面の簡単な説明】
【０００８】
【図１】（ａ）は第１の実施形態に係る温室における片屋根式ビニールハウスの妻面を除いた断面図であり、（ｂ）は第１の実施形態に係る両屋根式ビニールハウスの右側面図である。
【図２】（ａ）は第１の実施形態に係る両屋根式ビニールハウスに使用する第１の連結パイプを説明するための説明図であり、（ｂ）は第１の実施形態に係る両屋根式ビニールハウスに使用する第２の連結パイプ及び中間パイプを説明するための説明図である。
【図３】（ａ）は第１の実施形態に係る片屋根式ビニールハウスの正面図であり、（ｂ）は図３（ａ）に示す片屋根式ビニールハウスの右側面図である。
【考案を実施するための形態】
【０００９】
（本考案の第１の実施形態）
温室１００は、図１及び図３に示すように、両屋根（切妻屋根）式ビニールハウス（以下、内部ハウス１０と称す）と、内部ハウス１０を包囲して配設され、妻方向の一方に傾斜した屋根を有する片屋根（片流れ屋根）式ビニールハウス（以下、外部ハウス２０と称す）と、を備える。
【００１０】
まず、内部ハウス１０について、図１及び図２を用いて説明する。
内部ハウス１０は、農業用ポリオレフィン系特殊フィルム（以下、単に、フィルム１０ａと称す）が骨組みの外側に張設され、出入口であるドア８が妻面に配設される。
【００１１】
なお、本実施形態に係るフィルム１０ａは、妻面上部に張設される妻面固定用フィルム、妻面下部に張設される裾用フィルム、並びに、妻面固定用フィルム及び裾用フィルム間で巻上げ自在に配設される妻面巻上げ用フィルムと、屋根の軒桁側に張設される屋根固定用フィルム、並びに、屋根の棟及び屋根固定用フィルム間で巻上げ自在に配設される屋根巻上げ用フィルムと、側面上部に張設される側面固定用フィルム、側面下部に張設される裾用フィルム、並びに、側面固定用フィルム及び裾用フィルム間で巻上げ自在に配設される側面巻上げ用フィルムと、を備える。
このように、本実施形態に係る内部ハウス１０は、屋根巻上げ用フィルムを巻上げて屋根の棟近傍を開放することができることにより、内部ハウス１０内で暖められて上昇する空気を効率よく排気することができ、内部ハウス１０内に熱が篭ることを抑制することができる。
【００１２】
また、内部ハウス１０は、図示しない巻き上げ装置により、屋根巻上げ用フィルム及び側面巻上げ用フィルムの巻上げを可能とし、外部からの害虫の侵入を防止するために、少なくとも、妻面巻上げ用フィルム、屋根巻上げ用フィルム及び側面巻上げ用フィルムに対応する領域に、図示しない防虫ネットが張設されている。
【００１３】
内部ハウス１０の骨組みは、下端側が地中に１５００ｍｍほど埋設されて地面２００に立設され、内部ハウス１０の妻側（妻面）及び平側（側面）の骨組みの一部を構成する複数の支柱パイプ１と、内部ハウス１０の桁行方向（側面）に列設する複数の支柱パイプ１の上端間に略水平に架設される左右一対の軒桁パイプ２ａと、左右の軒桁パイプ２ａ間で当該軒桁パイプ２ａに略平行に配設され、後述の梁パイプ３を支持する複数の桁パイプ２と、左右の軒桁パイプ２ａ間で妻方向に略水平に架設される複数の梁パイプ３と、を備える。
【００１４】
なお、支柱パイプ１は、内部ハウス１０の妻方向（妻面）に列設する複数の妻柱パイプ１ａを含む。
また、梁パイプ３は、内部ハウス１０の妻方向（妻面）に列設する複数の支柱パイプ１（妻柱パイプ１ａ）間に略水平に架設される前後一対の妻梁パイプ３ａを含む。
【００１５】
また、内部ハウス１０の骨組みは、内部ハウス１０の屋根の最上部で桁行方向に略水平に配設され、当該内部ハウス１０の屋根の骨組みの一部を構成する棟パイプ４と、棟パイプ４及び軒桁パイプ２ａ間で当該棟パイプ４に略平行に配設され、内部ハウス１０の屋根の骨組みの一部を構成する複数の母屋パイプ５と、棟パイプ４及び軒桁パイプ２ａ間で当該棟パイプ４に略垂直に架設され、内部ハウス１０の屋根の骨組みの一部を構成する複数の垂木パイプ６と、隣り合う支柱パイプ１（妻柱パイプ１ａ）間に略水平に架設される胴縁７と、を備える。
【００１６】
なお、本実施形態に係る胴縁７は、溶融亜鉛鍍金で表面処理された鋼鉄製であり、断面寸法が３０ｍｍ×１５ｍｍである矩形状の板状体に長手方向に延在する溝（不図示）を備え、この溝とスプリング（不図示）によりフィルム１０ａを挟持するフィルム留材である。
【００１７】
また、内部ハウス１０は、図２に示すように、棟パイプ４を基準として左右一対の垂木パイプ６の一端同士を連結する第１の連結パイプ１１と、支柱パイプ１の上端に垂木パイプ６の他端を連結する第２の連結パイプ１２と、支柱パイプ１及び第２の連結パイプ１２間に介在される中間パイプ１３と、を備える。
【００１８】
なお、支柱パイプ１（妻柱パイプ１ａ）、桁パイプ２（軒桁パイプ２ａ）及び梁パイプ３（妻梁パイプ３ａ）は、金属製の単管パイプであり、特に、単管足場用鋼管（JIS G3444「一般構造用炭素鋼鋼管」  ３種STK500（外径48.5ｍｍ、厚さ2.4ｍｍ）、表面処理：溶融亜鉛鍍金）を用いることにより、市販のビニールハウスの骨組みをなす高価な専用パイプを用いることなく、内部ハウス１０の建造コストを低減することができると共に、内部ハウス１０の強度を維持することができる。
また、本実施形態に係る内部ハウス１０は、高強度の単管パイプを支柱パイプ１に用いることにより、対向する支柱パイプ１間における内部ハウス１０内の栽培地から離隔した高さに道板（不図示）を架設することができ、農作業者が栽培地中の作物の根を踏むことを防止し、畝と畝との間の通路を栽培地に形成することなく、栽培地を有効に活用することができる。
なお、支柱パイプ１と軒桁パイプ２ａとの直角交差部分及び軒桁パイプ２ａと梁パイプ３との直角交差部分では、図示しない直交形緊結金具（クランプ、自在継手）を用いて、支柱パイプ１及び軒桁パイプ２ａ並びに軒桁パイプ２ａ及び梁パイプ３が連結されている。
【００１９】
また、棟パイプ４、母屋パイプ５及び垂木パイプ６は、樹脂製の直管パイプであり、特に、海苔の養殖に使用する支柱（海苔棒）における廃材として廃棄される支柱（ＦＲＰ（fiberglass reinforced plastics：繊維強化プラスチック）パイプ）を用いることにより、内部ハウス１０の建造コストを大幅に低減することができる。
【００２０】
なお、本実施形態に係る第１の連結パイプ１１は、図２（ａ）に示すように、金属（例えば、鋼鉄）製の曲管パイプ（左右の長さを均等に屈曲させた鋼管）であり、外径が垂木パイプ６の内径と略同一であり、端部が垂木パイプ６の一端側から垂木パイプ６内に挿入され、垂木パイプ６にビス９で固定（２点ビス止め）される。
このように、本実施形態に係る内部ハウス１０の屋根は、２本の直管パイプ（垂木パイプ６）を曲管パイプ（第１の連結パイプ１１）で連結することにより、図１（ａ）に示すように、切妻屋根となり、内部ハウス１０内で暖められた空気を棟パイプ４近傍に集め、巻上げられて屋根巻上げ用フィルムが除かれた開口部（換気口）から空気を効率よく排気することができる。
【００２１】
また、本実施形態に係る第２の連結パイプ１２は、図２（ｂ）に示すように、金属（例えば、鋼鉄）製の曲管パイプ（左右の長さを均等に屈曲させた鋼管）であり、外径が垂木パイプ６及び中間パイプ１３の内径と略同一であり、一端が垂木パイプ６の他端側から垂木パイプ６内に挿入され、垂木パイプ６にビス９で固定（２点ビス止め）されると共に、他端が中間パイプ１３の一端側から中間パイプ１３内に挿入され、中間パイプ１３にビス９で固定（２点ビス止め）される。
また、本実施形態に係る中間パイプ１３は、垂木パイプ６と同じ材料（外径及び内径）である樹脂製の直管パイプ（例えば、ＦＲＰパイプ）であり、外径が支柱パイプ１の内径と略同一であり、他端が支柱パイプ１の上端側から支柱パイプ１内に３０ｃｍほど挿入され、支柱パイプ１にビス９で固定（２点ビス止め）される。
このように、本実施形態に係る内部ハウス１０は、第２の連結パイプ１２と支柱パイプ１（単管足場用鋼管）との連結に中間パイプ１３を用いることにより、第２の連結パイプ１２の外径と支柱パイプ１（単管足場用鋼管）の内径との径の不一致を解消し、廃材としての海苔棒を垂木パイプ６及び中間パイプ１３として有効に活用することができる。
【００２２】
つぎに、外部ハウス２０について、図３を用いて説明する。
外部ハウス２０は、農業用ポリオレフィン系特殊フィルム（以下、単に、フィルム２０ａと称す）が、妻面における内部ハウス１０のドア８に対応する部分を除く骨組みの外側に張設される。
外部ハウス２０は、二段の屋根を備え、フィルム２０ａが上段の屋根（以下、上段屋根と称す）に張設され、遮光ネット２０ｂが下段の屋根（以下、下段屋根と称す）に張設され、この遮光ネット２０ｂにより内部ハウス１０内の温度調整を行なうことができる。
【００２３】
なお、本実施形態に係るフィルム２０ａは、内部ハウス１０のドア８に対応する部分を除く妻面に張設される妻面用フィルムと、上段屋根に張設される屋根用フィルムと、側面に張設される側面用フィルムと、を備える。
【００２４】
外部ハウス２０の骨組みは、下端側が地中に２０００ｍｍほど埋設されて地面２００に立設され、外部ハウス２０の妻側（妻面）及び平側（側面）の骨組みの一部を構成する複数の支柱パイプ２１と、外部ハウス２０の上段屋根の最上部近傍で桁行方向に略水平に配設され、外部ハウス２０の桁行方向（側面）に列設する複数の支柱パイプ２１の上端間に略水平に架設される第１の棟パイプ２４ａと、外部ハウス２０の上段屋根の最下部近傍で桁行方向に略水平に配設され、外部ハウス２０の桁行方向（側面）に列設する複数の支柱パイプ２１の上端間に略水平に架設される第１の軒桁パイプ２２ａと、外部ハウス２０の下段屋根の最上部近傍で桁行方向に略水平に配設される第２の棟パイプ２４ｂと、外部ハウス２０の上段屋根の最下部近傍で桁行方向に略水平に配設される第２の軒桁パイプ２２ｂと、外部ハウス２０の妻方向（妻面）に列設する複数の支柱パイプ２１（後述する妻柱パイプ２１ａ）間に略水平に架設される前後一対の妻梁パイプ２３ａと、を備える。
なお、支柱パイプ２１は、外部ハウス２０の妻方向（妻面）に列設する複数の妻柱パイプ２１ａを含む。
【００２５】
また、外部ハウス２０の骨組みは、第１の棟パイプ２４ａ及び第１の軒桁パイプ２２ａ間で当該第１の棟パイプ２４ａに略垂直に架設され、外部ハウス２０の上段屋根の骨組みの一部を構成する複数の第１の垂木パイプ２６ａと、第２の棟パイプ２４ｂ及び第２の軒桁パイプ２２ｂ間で当該第２の棟パイプ２４ｂに略垂直に架設され、外部ハウス２０の下段屋根の骨組みの一部を構成する複数の第２の垂木パイプ２６ｂと、隣り合う支柱パイプ２１（妻柱パイプ２１ａ）間に略水平に架設される胴縁２７と、を備える。
【００２６】
なお、本実施形態に係る胴縁２７は、溶融亜鉛鍍金で表面処理された鋼鉄製であり、断面寸法が３０ｍｍ×１５ｍｍである矩形状の板状体に長手方向に延在する溝（不図示）を備え、この溝とスプリング（不図示）によりフィルム２０ａを挟持するフィルム留材である。
【００２７】
なお、外部ハウス２０の骨組みをなす各パイプ（支柱パイプ２１（妻柱パイプ２１ａ）、第１の軒桁パイプ２２ａ、第２の軒桁パイプ２２ｂ、妻梁パイプ２３ａ、第１の棟パイプ２４ａ、第２の棟パイプ２４ｂ、第１の垂木パイプ２６ａ及び第２の垂木パイプ２６ｂ）は、金属製の単管パイプである。特に、外部ハウス２０の骨組みの各パイプは、単管足場用鋼管（JIS G3444「一般構造用炭素鋼鋼管」  ３種STK500（外径48.5ｍｍ、厚さ2.4ｍｍ）、表面処理：溶融亜鉛鍍金）を用いることにより、市販のビニールハウスの骨組みをなす高価な専用パイプを用いることなく、外部ハウス２０の建造コストを低減することができると共に、外部ハウス２０の強度を維持することができる。
また、外部ハウス２０の骨組みをなす各パイプ同士の直角交差部分では、図示しない直交形緊結金具（クランプ、自在継手）を用いて、各パイプ同士が連結されている。
【００２８】
以上のように、本実施形態に係る温室１００は、作物を栽培する内部ハウス１０と、内部ハウス１０を包囲する外部ハウス２０と、を備えることにより、雨が降っていても、内部ハウス１０の妻面巻上げ用フィルム、屋根巻上げ用フィルム及び側面巻上げ用フィルムを巻上げて開口部（換気口）を開放した状態で作物を栽培することができ、循環扇・換気扇や冷暖房などの空調設備を設置することなく、内部ハウス１０内の温度上昇を抑制することができる。
【符号の説明】
【００２９】
１      支柱パイプ
１ａ    妻柱パイプ
２      桁パイプ
２ａ    軒桁パイプ
３      梁パイプ
３ａ    妻梁パイプ
４      棟パイプ
５      母屋パイプ
６      垂木パイプ
７      胴縁
８      ドア
９      ビス
１０    内部ハウス
１０ａ  フィルム
１１    第１の連結パイプ
１２    第２の連結パイプ
１３    中間パイプ
２０    外部ハウス
２０ａ  フィルム
２０ｂ  遮光ネット
２１    支柱パイプ
２１ａ  妻柱パイプ
２２ａ  第１の軒桁パイプ
２２ｂ  第２の軒桁パイプ
２３ａ  妻梁パイプ
２４ａ  第１の棟パイプ
２４ｂ  第２の棟パイプ
２６ａ  第１の垂木パイプ
２６ｂ  第２の垂木パイプ
２７    胴縁
１００  温室
【図１】
0003189086.tif 000003
【図２】
0003189086.tif 000004
【図３】
0003189086.tif 000005